(57)【要約】      （修正有）【課題】真空掃除機の吸引ヘッドに着脱自在であり、清掃対象（例えば、床面や網戸の網面など）上に存在するゴミ、ほこりなどの塵埃の吸引清掃と、拭き清掃とを同時に行うことができる清掃用アタッチメントを提供する。【解決手段】所定の延長管を介して本体と接続され、風路が形成される吸引ヘッドを有する真空掃除機の吸引ヘッドに装着される清掃用アタッチメント１０は、長辺と短辺からなる板状体１００からなり、その一の長辺側側面から外方に延出する凸部１００ａが形成される。また、吸引ヘッドの裏面側で、且つ、所定の延長管が接続される吸引ヘッドの接続部位近傍に装着される第一の接続部材、板状体１００の凸部を含む領域の上面に装着され、吸引ヘッドに装着された第一の接続部材に接続される第二の接続部材１０１ａ、板状体１００の短辺側上面それぞれに配設される第三の接続部材１０２を有する。【選択図】図１
0003225717.tif 000002
【実用新案登録請求の範囲】
【請求項１】
所定の延長管を介して本体と接続され、風路が形成される吸引ヘッドを有する真空掃除機の当該吸引ヘッドに装着する清掃用アタッチメントであって、
前記清掃用アタッチメントは、長辺と短辺からなる板状体からなり、その一の長辺側側面から外方に延出する凸部が形成されており、
前記吸引ヘッドの裏面側で、且つ、前記所定の延長管が接続される当該吸引ヘッドの接続部位近傍に装着される第一の接続部材と、
前記板状体の凸部を含む領域の上面に装着され、前記吸引ヘッドに装着された前記第一の接続部材に接続される第二の接続部材と、
前記板状体の短辺側上面それぞれに配設される第三の接続部材と、を有することを特徴とする、
清掃用アタッチメント。
【請求項２】
前記板状体の長辺長さは、前記吸引ヘッドの幅方向長さと比べて相対的に短くなるように形成されることを特徴とする、
請求項１に記載の清掃用アタッチメント。
【請求項３】
前記第一の接続部材は、面ファスナーのフック側部材あるいはループ側部材の一方であり、前記第二の接続部材は、面ファスナーのフック側部材あるいはループ側部材の他方であり、前記第三の接続部材は、面ファスナーのフック側部材であることを特徴とする、
請求項１又は２に記載の清掃用アタッチメント。
【請求項４】
前記第三の接続部材は、前記板状体の短辺と略同じ長さで、且つ、当該短辺縁に沿って配設されることを特徴とする、
請求項１、２又は３に記載の清掃用アタッチメント。
【請求項５】
前記板状体は、当該板状体の外周、前記第二の接続部材を囲む領域、前記第三の接続部材を囲む領域の少なくとも一つの領域において所定の高さの堤状に突出させた突出部が形成されることを特徴とする、
請求項１乃至４いずれか一項に記載の清掃用アタッチメント。
【考案の詳細な説明】
【技術分野】
【０００１】
本考案は、真空掃除機の吸引ヘッドに装着する清掃用アタッチメントに関する。
【背景技術】
【０００２】
清掃対象（例えば、床面）上に存在するゴミ、ほこりなどを吸引する真空掃除機は、当該清掃対象に応じた吸引ヘッドを吸引ホースの先端に取り付けて使用するように構成される。例えば、清掃対象が畳やカーペット、あるいはフローリングの床などの平面（以下、床面と称す）である場合、一般的には横に細長い形をした略Ｔ字形の吸引ヘッドが使用される。
【０００３】
しかしながらこの種の吸引ヘッドは、一般的には床面上に存在する塵埃を単に吸い取るだけであり、当該床面に付着した汚れを拭き取ることができない。そのため、床面に汚れが付着している場合には、モップ等による拭き掃除（拭き清掃）をあとで改めて行わなければならない。
【０００４】
例えば、特許文献１に開示されたヘッド用アダプターは、吸込みヘッドの吸込み面を覆い、且つ、ゴミを通す開口部を設けたモップ部を当該吸込みヘッドに固定可能に構成されている。
また、特許文献２に開示された真空掃除機用吸込み具は、ヘッド部の吸引口内に拭布取付用の弾性部材が配設されている。
【先行技術文献】
【特許文献】
【０００５】
【特許文献１】実用新案登録第３１１３６７８号公報
【特許文献２】特開２００９−１９５６７１号公報
【考案の概要】
【考案が解決しようとする課題】
【０００６】
しかしながら、特許文献１に開示されたヘッド用アダプター、特許文献２に開示された真空掃除機用吸込み具などの構成では、吸引ヘッドの吸引口サイズが小さくなり、そのためゴミ等を吸引するための吸引力が低下してしまったり、ゴミ等を吸引することができる床面上の領域が小さくなったりしてしまう。また、吸い残したゴミ等により拭き清掃時に床面などの清掃対象を傷つけてしまうことがある、という課題が残る。
【０００７】
本考案は、真空掃除機の吸引ヘッドに着脱自在であり、清掃対象（例えば、床面や網戸の網面など）上に存在するゴミ、ほこりなどの塵埃の吸引清掃と、拭き清掃とを同時に行うことができる清掃用アタッチメントを提供することを、主たる目的とする。
【課題を解決するための手段】
【０００８】
本考案は、所定の延長管を介して本体と接続され、風路が形成される吸引ヘッドを有する真空掃除機の当該吸引ヘッドに装着する清掃用アタッチメントであって、前記清掃用アタッチメントは、長辺と短辺からなる板状体からなり、その一の長辺側側面から外方に延出する凸部が形成されており、前記吸引ヘッドの裏面側で、且つ、前記所定の延長管が接続される当該吸引ヘッドの接続部位近傍に装着される第一の接続部材と、前記板状体の凸部を含む領域の上面に装着され、前記吸引ヘッドに装着された前記第一の接続部材に接続される第二の接続部材と、前記板状体の短辺側上面それぞれに配設される第三の接続部材と、を有することを特徴とする。
【考案の効果】
【０００９】
本考案によれば、真空掃除機の吸引ヘッドに後付けして、清掃対象（例えば、床面や網戸の網面など）上に存在するゴミ、ほこりなどの塵埃の吸引清掃と、拭き清掃とを同時に行うことができる。
【図面の簡単な説明】
【００１０】
【図１】（ａ）、（ｂ）は、本実施形態に係る清掃用アタッチメントの構成の一例を説明するための図。
【図２】吸引ヘッドの裏面側に装着される第二の接続部材の取付けの一例を示す図。
【図３】吸引ヘッドに清掃用アタッチメントを取付けた状態の一例を示す上面図。
【図４】吸引ヘッドに清掃用アタッチメントを取付けた状態の一例を示す側面図。
【図５】清掃用アタッチメントに清掃用シートを取付けた状態の一例を示す上面図。
【図６】清掃用アタッチメントに清掃用シートを取付けた状態の一例を示す側面図。
【考案を実施するための形態】
【００１１】
以下、本考案を真空掃除機の吸引ヘッドに適用した場合を例に挙げて、図面を参照しながら実施形態を説明する。なお、真空掃除機を用いた清掃対象を床面上に存在するゴミ、ほこりなどの塵埃の吸引清掃と、当該床面の拭き清掃とを同時に行う場合を例に挙げて説明を進めるが、清掃対象はこれに限るものではない。
【００１２】
［実施形態例］
図１は、本実施形態に係る清掃用アタッチメントの構成の一例を説明するための図である。図１（ａ）は表面（上面）を示す図であり、図１（ｂ）は裏面（下面）を示している。
また、図２は、吸引ヘッドの裏面側に装着される第一の接続部材１０１ｂの取付けの一例を説明するための図である。以下、図１、２を用いて清掃用アタッチメント１０の主たる構成について説明する。
【００１３】
図１に示す清掃用アタッチメント１０は、所定の延長管を介して真空掃除機本体（以下、本体と称す。）と接続され、風路が形成される吸引ヘッドを有する真空掃除機の当該吸引ヘッドに装着される（後述する図３、図４参照）。
一般的な真空掃除機の吸引ヘッドの形状は、清掃対象（例えば、床面）上に存在するゴミ、ほこりなどの塵埃を吸引するための吸引口（図２参照）を有する横（幅方向）に細長い略矩形形状をしている。
吸引ヘッドの吸引口から吸引されたゴミ等が延長管の内部を通過するように風路が形成される。
なお、延長管は、本体から延びる吸引ホースの先端に着脱自在に接続されている。また、本体と吸引ホースの主要部については、周知の構成のものがそのまま使用され、本考案の要旨とも直接関係がないため、それらの図示は省略されている。
【００１４】
清掃用アタッチメント１０は、長辺と短辺からなる所定の厚みの板状体１００、第一の接続部材１０１ｂ（図２参照）、第二の接続部材１０１ａ、第三の接続部材１０２を有する。また、図１に示すように、板状体１００にはその一の長辺側側面から外方に延出する凸部１００ａが形成される。
【００１５】
また、板状体１００は、清掃対象（例えば、床面や網戸の網面など）を拭き掃除することに適した素材で、且つ、柔軟性を有する素材を用いて構成される。例えば、吸引ヘッドに装着した清掃用アタッチメント１０（板状体１００）を床面に押し付けるのに必要な弾性を備えたゴムや合成樹脂（例えば、ポリプロピレン）等の軟弾性素材を用いることができる。
なお、清掃時には清掃用アタッチメント１０（板状体１００）が清掃対象と対向する面（下面）に不織布などの繊維素材を取付けて清掃を行う。これにより、清掃対象上に存在するゴミ、ほこりなどの塵埃の吸引清掃と、拭き清掃とを同時に行うことが可能になる。
【００１６】
板状体１００の上面には、図１（ａ）に示すように、当該板状体１００の外周、第二の接続部材１０１ａを囲む領域、第三の接続部材１０２を囲む領域などに所定の高さの堤状に突出させた突出部２００が形成される。この突出部２００により清掃用アタッチメント１０の強度を高めることができる。また、この突出部２００により第二の接続部材１０１ａ、第三の接続部材１０２を板状体１００表面に装着する際の装着位置を規定することができる。また、図１（ｂ）に示すように、板状体１００の下面は平坦面となるように形成される。
【００１７】
図１（ａ）に示す第二の接続部材１０１ａは、清掃用アタッチメント１０（板状体１００）の凸部を含む領域の上面に装着される。
図２に示す第一の接続部材１０１ｂは、吸引ヘッドの裏面側で、且つ、延長管が接続される吸引ヘッドの接続部位近傍の領域に装着される。第二の接続部材１０１ａは、吸引ヘッドに装着された第一の接続部材１０１ｂに接続される。これにより、板状体１００を吸引ヘッドに着脱自在なものとなり、真空掃除機の使用状況に応じて清掃用アタッチメント１０を吸引ヘッドに取付けたり、取外したりすることが容易に行える。
【００１８】
なお、第一の接続部材１０１ｂと第二の接続部材１０１ａは、例えば第一の接続部材１０１ｂを面ファスナーのフック側部材あるいはループ側部材の一方とし、第二の接続部材１０１ａを面ファスナーのフック側部材あるいはループ側部材の他方を用いることができる。また、第一の接続部材１０１ｂと第二の接続部材１０１ａのサイズは、清掃時において吸引ヘッドか板状体１００が脱落しない程度の接着力を有する接続手段として機能するものであればそのサイズや材質等は任意に設定することができる。
また、第一の接続部材１０１ｂを装着する接続部位近傍の領域は、後述する図４、図６に示すように吸引ヘッドの下面と板状体１００の下面とが略水平になるように当該吸引ヘッドと板状体１００とを接続できる領域であれば良い。
【００１９】
ユーザが真空掃除機を用いて清掃する場合、真空掃除機の吸引ヘッドを前後に移動させて清掃を行うことになるが、通常はまず手前側から奥側へと吸引ヘッドの移動を開始させる。そのため、清掃用アタッチメント１０は、清掃開始時における吸引ヘッドの移動方向に対してその後方に位置するように当該吸引ヘッドに取付けられる。
【００２０】
図１（ａ）に示す第三の接続部材１０２は、清掃用アタッチメント１０（板状体１００）の短辺側上面それぞれに配設される。
なお、第三の接続部材１０２は、例えば面ファスナーのフック側部材を用いることができる。面ファスナーのフック側部材を用いることで、後述する清掃用シートを板状体１００に取付ける（巻き付ける）際の着脱が容易になる。このように第三の接続部材１０２は、後述する清掃用シートを保持する保持手段として機能するものであれば任意に選択することができる。
【００２１】
図３は、吸引ヘッドに清掃用アタッチメント１０を取付けた状態の一例を説明するための上面図である。また、図４は、吸引ヘッドに清掃用アタッチメント１０を取付けた状態の一例を説明するための側面図である。
図３に示すように、清掃用アタッチメント１０（板状体１００）は、吸引ヘッドの幅方向長さよりも相対的に短くなるようにその幅方向長さを有するように形成することができる。具体的には、清掃用アタッチメント１０（板状体１００）の幅方向端部それぞれ吸引ヘッドの幅方向端部から例えば５［ｍｍ］程度内側になるように形成する。
【００２２】
清掃対象の一つである床面と壁面の接続箇所近傍、いわゆる床の隅位置にゴミ等が溜まっているようなときもある。
例えば、吸引ヘッドと清掃用アタッチメント１０（板状体１００）の幅方向長さが同等の長さである場合、当該吸引ヘッドが吸い残したゴミ等をそのまま清掃用アタッチメント１０（板状体１００）の側面（壁面に対向する面）に潜り込ませてしまうことになる。そのため、清掃用アタッチメント１０（板状体１００）の側面に存在するゴミ等により床面あるいは床面に近い壁の表面などを傷つけてしまうことになる。
【００２３】
これに対し、本実施系形態に係る清掃用アタッチメント１０では、板状体１００の幅方向端部それぞれが吸引ヘッドの幅方向端部から所定の長さ（例えば５［ｍｍ］）だけ内側になるように形成することができるため、吸引ヘッドが吸い残したゴミ等が清掃用アタッチメント１０の側面に潜り込んでしまうことを防ぐことが可能になる。
そのため、真空掃除機（吸引ヘッド）が吸い残したゴミ等により床面あるいは床面に近い壁の表面などを傷つけてしまうことをより確実に防ぐことができる。
【００２４】
また、清掃用アタッチメント１０（板状体１００）は、図３に示すように、板状体１００の凸部１００ａを介して、吸引ヘッドから例えば１０［ｍｍ］程度隙間を開けた状態で取付けることができる。
例えば、吸引ヘッドと清掃用アタッチメント１０の間に隙間が存在しない場合、吸引ヘッドが吸い残したゴミ等をそのまま清掃用アタッチメント１０の下面に潜り込ませてしまうことになる。そのため、清掃用アタッチメント１０の下面に存在するゴミ等により清掃対象（例えば、床面）の表面を傷つけてしまうことになる。
【００２５】
これに対し、凸部１００ａを有する清掃用アタッチメント１０では、吸引ヘッドと清掃用アタッチメント１０の間に隙間を容易に設けることができるため、この隙間に真空掃除機（吸引ヘッド）が吸い残したゴミ等を滞留させることが可能になる。
そのため、より確実に清掃用アタッチメント１０の下面へのゴミ等の潜り込みを防ぐことが可能となり、清掃用アタッチメント１０による拭き清掃において、清掃対象（例えば、床面）の表面を傷つけてしまうことを効果的に防ぐことができる。
【００２６】
また、清掃用アタッチメント１０（板状体１００）は図４に示すように、吸引ヘッドの下面と板状体１００の下面とが略水平になるように当該吸引ヘッドに接続される。
【００２７】
図５は、清掃用アタッチメント１０に清掃用シートを取付けた状態の一例を示す上面図である。また、図６は、清掃用アタッチメント１０に清掃用シートを取付けた状態の一例を示す側面図である。
【００２８】
清掃用シートは、例えば親水性及び／又は親油性の繊維で形成された不織布である。清掃用シートは、例えば１０〜３０［μｍ］程度の繊維径を有する極細繊維からなるシートであることが望ましい。より望ましくは、その少なくとも一部に繊維径が１０［μｍ］未満の超極細繊維が含まれているものを用いて清掃用シートを構成する。この清掃用シートには、着塵剤やその他の洗浄剤あるいは洗浄液等を含浸させることもできる。
【００２９】
図５、図６に示すように、清掃用シートは清掃用アタッチメント１０（板状体１００）の下面を覆うように取付けられ、前後の余白部分を当該清掃用アタッチメント１０（板状体１００）の上面側に折り返して第三の接続部材１０２に押し当てる。これにより、清掃時に生じる清掃用シートの清掃用アタッチメント１０（板状体１００）からの脱落やズレを効果的に防ぐことができる。
【００３０】
このように、本実施形態に係る清掃用アタッチメント１０は、真空掃除機の吸引ヘッドに後付けすることが可能であり、清掃対象（例えば、床面）上に存在するゴミ、ほこりなどの塵埃の吸引清掃と、拭き清掃とを同時に行うことができる。
また、吸い残したゴミ等により拭き清掃時に床面を傷つけてしまうことを効果的に防ぐことができる。
【００３１】
上記説明は、本考案をより具体的に説明するためのものであり、本考案の範囲が、これらの例に限定されるものではない。本考案の要旨を逸脱しない範囲の様々な形態も本考案に含まれ、例えば上述した各実施形態の一部を適宜組み合わせても良い。
【符号の説明】
【００３２】
１０・・・清掃用アタッチメント、１００・・・板状体、１００ａ・・・凸部、１０１ａ・・・第二の接続部材、１０１ｂ・・・第一の接続部材、１０２・・・第三の接続部材、２００・・・突出部。
【図１】
0003225717.tif 000003
【図２】
0003225717.tif 000004
【図３】
0003225717.tif 000005
【図４】
0003225717.tif 000006
【図５】
0003225717.tif 000007
【図６】
0003225717.tif 000008